(57)【要約】      （修正有）【課題】乗客が外デッキカバーの傾斜部の上面に、手荷物等の物体を載置する不用意な行為を無くす。【解決手段】外デッキカバー４の傾斜部の上面に落下防止帯５Ａ，５Ｂ等を所定間隔で備えるとともに、これらの落下防止帯５Ａ，５Ｂ等の内部に、乗客の手荷物等の物体が外デッキカバー４の傾斜部の上面に載置されることを検出する検出手段、例えば発光装置、受光装置を設け、さらに外デッキカバー４の傾斜部の上面に手荷物等の物体が載置されることに伴って発光装置から出射された光８が該当する受光装置に入射されなくなったときに、注意を促す警告音声信号を出力するコントローラ９と、このコントローラ９から出力される警告音声信号に応じて、外デッキカバー４の傾斜部の上面に物体を載置する乗客に注意を促す報知を行なう報知手段例えばスピーカ１０を備えた。【選択図】図１
2011121717.tif 000002
【特許請求の範囲】
【請求項１】
踏段の側部に立設される欄干と、この欄干の外側に設けられ、欄干支持部材を被う外デッキカバーと、この外デッキカバーの傾斜部の上面に設けられ、当該外デッキカバーの傾斜部の上面に載置された物体の滑り落下を防止する落下防止帯とを備えた乗客コンベアにおいて、
上記外デッキカバーの傾斜部の上面に物体が載置されることを検出する検出手段と、この検出手段で上記外デッキカバーの傾斜部の上面に物体が載置されることが検出されたとき、上記外デッキカバーの傾斜部の上面に物体を載置する乗客に注意を促す報知を行なう報知手段とを備えたことを特徴とする乗客コンベア。
【請求項２】
請求項１に記載の乗客コンベアにおいて、
上記検出手段が、発光装置と、この発光装置から出射される光を入射する受光装置とから成り、上記報知手段がスピーカから成るとともに、
上記発光装置から出射される光が上記受光装置に入射されなくなったときに、上記外デッキカバーの傾斜部の上面に物体を載置する乗客に注意を促す警告音声信号を上記スピーカに出力する処理を行なうコントローラを備えたことを特徴とする乗客コンベア。
【請求項３】
請求項２に記載の乗客コンベアにおいて、
上記外デッキカバーの傾斜部の上面の下方位置に上記発光装置と上記受光装置のうちの一方を配置し、上記下方位置よりも上方の上記外デッキカバーの傾斜部の上面の位置に、上記発光装置と上記受光装置のうちの他方を配置したことを特徴とする乗客コンベア。
【請求項４】
請求項３に記載の乗客コンベアにおいて、
上記外デッキカバーの傾斜部の上面に複数の落下防止帯を所定間隔で設け、上記外デッキカバーの傾斜部の上面の上記下方位置に配置される落下防止帯の内部に、上記発光装置と上記受光装置のうちの一方を配置し、上記下方位置に配置される落下防止帯に対向して上方位置に配置される落下防止帯の内部に、上記発光装置と上記受光装置のうちの他方を配置したことを特徴とする乗客コンベア。
【請求項５】
請求項４に記載の乗客コンベアにおいて、
上記落下防止帯のそれぞれは、上記外デッキカバーに取り付けられるベース部材と、このベース部材を被うように設けられるカバー部材とを有し、上記ベース部材に上記発光装置及び上記受光装置のうちの該当するものを取り付け、上記カバー部材は、上記発光装置から出射させた光を透過させる穴、及び発光装置から出射させた光を入射させる穴の少なくとも一方を有することを特徴とする乗客コンベア。
【発明の詳細な説明】
【技術分野】
【０００１】
本発明は、外デッキカバーの傾斜部の上面に、手荷物等の物体の滑り落下を防ぐ落下防止帯を有する乗客コンベアに関する。
【背景技術】
【０００２】
一般に乗客コンベアは、図６に示すように、乗客を昇降させる踏段１と、この踏段１の左右に立設される欄干２と、この欄干２上に配置され、踏段１と同期して移動する移動手摺３とを備えている。また、欄干２の外側には、鉄骨構造物から成る欄干支持材を被う意匠材から成る外デッキカバー４が欄干２の全長にわたって配置されている。
【０００３】
欄干２が堅牢性を重視されてステンレス製パネルから成る場合にあっては、外デッキカバー４は移動手摺３の近傍に配置されることになる。このような構成の場合、乗客は外デッキカバー４の傾斜部の上面に手荷物等の物体を載せながら昇降することがある。このようなときに手荷物等の物体が乗客の手から離れると、その物体は外デッキカバー４の傾斜部の上面を滑り落ちて危険である。このようなことから従来、同図６に示すように、外デッキカバー４の傾斜部の上面に所定間隔で、外デッキカバー４の傾斜部の上面を滑り落ちる手荷物等の物体を受け止める落下防止帯５が設けられていることが多い。このような落下防止帯５は、外デッキカバー材にプレス成形を施すことによって、外デッキカバー４と一体に設けることができる。この種の従来技術として非特許文献１に示されるものがある。
【先行技術文献】
【非特許文献】
【０００４】
【非特許文献１】発明協会公開技報公技番号９１−３２５０号
【発明の概要】
【発明が解決しようとする課題】
【０００５】
ところで、上述のような落下防止帯５の設置の如何に拘わらず、踏段１に乗って昇降する乗客が外デッキカバー４の傾斜部の上面に、手荷物等の物体を載置する不用意な行為が無くならないのが実状である。そして、上述のように落下防止帯５を設けてあっても、乗客の手から離れた手荷物等の物体の滑り落下速度が速いときなどにあっては、その物体を落下防止帯５で受け止められないことがあり、そのような場合、物体が落下防止帯５へ激しく衝突した後、その物体が落下防止帯５から乗客コンベアに乗っている他の乗客に向かって飛び出したり、また、その物体が下階の乗客コンベアの近傍にいる者に向かって落下したりすることがある。
【０００６】
本発明は、上述した従来技術における実状からなされたもので、その目的は、外デッキカバーの傾斜部の上面に物体を載せないように乗客に対して強く注意を喚起することができる乗客コンベアを提供することにある。
【課題を解決するための手段】
【０００７】
上記目的を達成するために、本発明に係る乗客コンベアは、踏段の側部に立設される欄干と、この欄干の外側に設けられ、欄干支持部材を被う外デッキカバーと、この外デッキカバーの傾斜部の上面に設けられ、当該外デッキカバーの傾斜部の上面に載置された物体の滑り落下を防止する落下防止帯とを備えた乗客コンベアにおいて、上記外デッキカバーの傾斜部の上面に物体が載置されることを検出する検出手段と、この検出手段で上記外デッキカバーの傾斜部の上面に物体が載置されることが検出されたとき、上記外デッキカバーの傾斜部の上面に物体を載置する乗客に注意を促す報知を行なう報知手段とを備えたことを特徴としている。
【０００８】
このように構成した本発明は、外デッキカバーの傾斜部の上面に乗客の手荷物等の物体が載置されたとき、または載置されようとしたときには、検出手段がそのことを検出する。この検出手段の検出によって、報知手段が外デッキカバーの傾斜部の上面に手荷物等の物体を載置している乗客に注意を促す報知を行なう。すなわち、外デッキカバーの傾斜部の上面に手荷物等の物体を載せないように乗客に強く注意喚起がなされる。これにより、乗客は外デッキカバーの傾斜部の上面に載せている物体を、欄干２の内部に引き戻すことを促される。したがって、乗客の手にしている手荷物等の物体が外デッキカバーの傾斜部の上面を滑って落下することを未然に防ぐことができる。
【０００９】
また、本発明に係る乗客コンベアは、上記発明において、上記検出手段が、発光装置と、この発光装置から出射される光を入射する受光装置とから成り、上記報知手段がスピーカから成るとともに、上記発光装置から出射される光が上記受光装置に入射されなくなったときに、上記外デッキカバーの傾斜部の上面に物体を載置する乗客に注意を促す警告音声信号を上記スピーカに出力する処理を行なうコントローラを備えたことを特徴としている。
【００１０】
踏段に乗って昇降している乗客が外デッキカバーの傾斜部の上面に手荷物等の物体を載せたときには、発光装置から出射される光が遮断されて受光装置に入射されなくなり、コントローラにおける処理によりスピーカから注意を促す警告音声が発せられる。
【００１１】
また、本発明に係る乗客コンベアは、上記発明において、上記外デッキカバーの傾斜部の上面の下方位置に上記発光装置と上記受光装置のうちの一方を配置し、上記下方位置よりも上方の上記外デッキカバーの傾斜部の上面の位置に、上記発光装置と上記受光装置のうちの他方を配置したことを特徴としている。
【００１２】
また、本発明に係る乗客コンベアは、上記発明において、上記外デッキカバーの傾斜部の上面に複数の落下防止帯を所定間隔で設け、上記外デッキカバーの傾斜部の上面の上記下方位置に配置される落下防止帯の内部に、上記発光装置と上記受光装置のうちの一方を配置し、上記下方位置に配置される落下防止帯に対向して上方位置に配置される落下防止帯の内部に、上記発光装置と上記受光装置のうちの他方を配置したことを特徴としている。
【００１３】
このように構成した本発明は、落下防止帯の内部を発光装置または受光装置の配置スペースとして有効に活用することができる。
【００１４】
また、本発明に係る乗客コンベアは、上記発明において、上記落下防止帯のそれぞれは、上記外デッキカバーに取り付けられるベース部材と、このベース部材を被うように設けられるカバー部材とを有し、上記ベース部材に上記発光装置及び上記受光装置のうちの該当するものを取り付け、上記カバー部材は、上記発光装置から出射させた光を透過させる穴、及び発光装置から出射させた光を入射させる穴の少なくとも一方を有することを特徴としている。
【発明の効果】
【００１５】
本発明は、外デッキカバーの傾斜部の上面に載置された物体の滑り落下を防止する落下防止帯を備えたものにあって、外デッキカバーの傾斜部の上面に物体が載置されることを検出する検出手段と、この検出手段で外デッキカバーの傾斜部の上面に物体が載置されることが検出されたとき、外デッキカバーの傾斜部の上面に物体を載置する乗客に注意を促す報知を行なう報知手段とを備えたことから、外デッキカバーの傾斜部の上面に乗客の手荷物等の物体が載置されたことが、または載置されようとしたことが検出手段で検出されると、報知手段によって注意を促す報知がなされ、外デッキカバーの傾斜部の上面に物体を載せないように乗客に対して強く注意喚起がなされる。これにより、外デッキカバーの傾斜部の上面に載置された物体が滑り落ちることを未然に防止することができ、従来に比べて優れた安全性を確保することができ、信頼性の高い乗客コンベアを実現させることができる。
【図面の簡単な説明】
【００１６】
【図１】本発明に係る乗客コンベアの一実施形態を示す要部側面図である。
【図２】図１のＡ−Ａ断面拡大図である。
【図３】図２のＢ−Ｂ断面図である。
【図４】本実施形態に係る乗客コンベアに備えられる最下位置に配置される落下防止帯を示す分解斜視図である。
【図５】図４に示す落下防止帯に対向して配置され、図４に示す落下防止帯よりも上方位置に配置される別の落下防止帯を示す分解斜視図である。
【図６】従来の乗客コンベアを示す要部側面図である。
【発明を実施するための形態】
【００１７】
以下、本発明に係る乗客コンベアの実施の形態を図に基づいて説明する。
【００１８】
図１は本発明に係る乗客コンベアの一実施形態を示す要部側面図、図２は図１のＡ−Ａ断面拡大図である。
【００１９】
本実施形態に係る乗客コンベアも、図１，２に示すように、無端状に連結される踏段１と、この踏段１の両側に立設される欄干２と、これらの欄干２の上部に設けられ、踏段１と同期して回転移動する移動手摺３とを備えている。また、欄干２の外側には、欄干支持部材を被う意匠材から成る外デッキカバー４を、欄干２の全長にわたって配置してある。また、外デッキカバー４の傾斜部の上面には、この外デッキカバー４の傾斜部の上面に載置された乗客の手荷物等の物体が、誤って乗客の手から離れて滑り落ちた際に、その物体を受け止める複数の落下防止帯５Ａ，５Ｂ等を備えている。これらの基本構成については、前述した図６に示した従来技術と同等である。
【００２０】
図３は図２のＢ−Ｂ断面図、図４は本実施形態に係る乗客コンベアに備えられる最下位置に配置される落下防止帯を示す分解斜視図、図５は図４に示す落下防止帯に対向して配置され、図４に示す落下防止帯よりも上方位置に配置される別の落下防止帯を示す分解斜視図である。
【００２１】
図１に示すように、本実施形態に係る乗客コンベアは、外デッキカバー４の傾斜部の上面に、最下位置に配置される落下防止帯５Ａと、この落下防止帯５Ａの上方位置に対向して配置される落下防止帯５Ｂと、この落下防止帯５Ｂの上方位置に対向して配置される図示しない落下防止帯等の複数の落下防止帯５Ａ，５Ｂ等を備えている。これらの落下防止帯５Ａ，５Ｂ等は所定間隔で外デッキカバー４の傾斜部の上面に配置してある。そして、例えば落下防止帯５Ａ，５Ｂの内部には、外デッキカバー４の傾斜部の上面の落下防止帯５Ａと落下防止帯５Ｂの間に位置する領域に手荷物等の物体が載置されることを検出する検出手段を備えている。この検出手段は、例えば発光装置７Ａと、この発光装置７Ａから出射される光８を入射する受光装置７Ｂとから成っている。
【００２２】
最下位置に配置される落下防止帯５Ａは、図４に示すように、逆ハット状に形成されたベース部材１１と、このベース部材１１を被うように設けられるカバー部材１２とを含んでいる。ベース部材１１上には、例えば一対の発光装置７Ａを取り付けてある。
【００２３】
カバー部材１２には、同図４に示す側面１２Ａと反対側の側面に、一対の穴Ｈと同等の一対の穴Ｈ、すなわち発光装置７Ａから出射される光８を透過させる一対の穴Ｈを形成してある。なお、図４には示されていないが、カバー部材１２の内部には、それぞれの穴Ｈに対応する部分に透明カバーを設けた構成にしてある。
【００２４】
また、ベース部材１１には、カバー部材１２に形成した穴１２Ｂに挿通されるビス１５が挿入される穴１５Ａを形成してある。すなわち、ビス１５によってベース部材１１とカバー部材１２とが一体に取り付けられるようになっている。ベース部材１１が取り付けられる外デッキカバー４の傾斜部の上面には、ベース部材１１に形成した穴１５Ｂに挿通されるビス６が挿入される穴６Ａを形成してある。すなわち、ビス６によってベース部材１１が外デッキカバー４の傾斜部の上面に取り付けられるようになっている。
【００２５】
また、ベース部材１１及び外デッキカバー４の傾斜部の上面のそれぞれには、一対の発光装置７Ａのそれぞれに接続されるコードが挿通する穴１６，２１を形成してある。
【００２６】
最下位置に対向して配置される落下防止帯５Ａに対向して、この落下防止帯５Ａの上方位置に配置される落下防止帯５Ｂは、図３，５に示すように、前述した落下防止帯５Ａにおけるのと同じ形状寸法のベース部材１１と、前述したカバー部材１２と同じ形状寸法のカバー部材１３とを含んでいる。ベース部材１１上には、落下防止帯５Ａに備えられる発光装置７Ａのそれぞれから出射された光８を入射する一対の受光装置７Ｂと、落下防止帯５Ｂの上方位置に対向して配置される図示しない落下防止帯に備えられる受光装置に向かって光８を出射する一対の発光装置７Ａとを取り付けてある。
【００２７】
図５に示すように、カバー部材１３の落下防止帯５Ａに対向する側面１３Ａには、落下防止帯５Ａに備えられる発光装置７Ａから出射された光８を入射させる一対の穴Ｈを形成してある。また、落下防止帯５Ｂの上方位置に対向して配置される図示しない落下防止帯に備えられる受光装置に向かって、落下防止帯５Ｂに備えられる発光装置７Ａの光８を出射させる一対の穴Ｈも形成してある。図３に示すように、カバー部材１３の内部には、それぞれの穴Ｈに対応する部分に透明カバー１４を設けた構成にしてある。
【００２８】
また、図５に示すように、前述した落下防止帯５Ａと同様に、ベース部材１１には、カバー部材１３に形成した穴１３Ｂに挿通されるビス１５が挿入される穴１５Ａを形成してある。すなわち、ビス１５によってベース部材１１とカバー部材１３とが一体に取り付けられるようになっている。ベース部材１１が取り付けられる外デッキカバー４の傾斜部の上面には、ベース部座１１に形成した穴１５Ｂに挿通されるビス６が挿入される穴６Ａを形成してある。すなわち、ビス６によってベース部材１１が外デッキカバー４の傾斜部の上面に取り付けられるようになっている。また、ベース部材１１及び外デッキカバー４の傾斜部の上面のそれぞれには、図３にも示すように、一対の発光装置７Ａのそれぞれに接続されるコード２２Ａと、一対の受光装置７Ｂのそれぞれに接続されるコード２２Ｂが挿通する穴１６，２１を形成してある。
【００２９】
また、本実施形態に係る乗客コンベアは、図１に示すように、各発光装置７Ａ及び受光装置７Ｂに電力を供給するとともに、各発光装置７Ａから出射された光８が対応する受光装置７Ｂに入射されなくなったときに、注意を促す警告音声信号を出力するコントローラ９を備えている。さらに、外デッキカバー４の傾斜部の上面に手荷物等の物体を載置している乗客に対して、また、当該乗客コンベアの踏段１に乗って昇降している乗客に対して、さらに、当該乗客コンベアの下階側であって、当該乗客コンベアの近傍の乗客等に対して、それぞれ注意を促す報知を行なう報知手段、例えばコントローラ９から出力される警告音声信号に応じて警告音声を発する複数のスピーカ１０を備えている。
【００３０】
このように構成した本実施形態は、コントローラ９から供給される電力によって各発光装置７Ａから光８が出射され、その光８が該当する各受光装置７Ｂに入力されている状態にあって、当該乗客コンベアの踏段１に乗って昇降している乗客の手荷物等の物体が、外デッキカバー４の傾斜部の上面の例えば落下防止帯５Ａと落下防止帯５Ｂの間の領域に載置されたときには、その手荷物等の物体によって落下防止帯５Ａに備えられる発光装置７Ａから出射される光８が遮断され、落下防止帯５ａに備えられる受光装置７Ｂに光８が入射されなくなる。
【００３１】
コントローラ９は、これに応じてスピーカ１０のそれぞれに警告音声信号を出力する。これによりスピーカ１０のそれぞれから、外デッキカバー４の傾斜部の上面に手荷物等の物体を載置している乗客に対して、また、当該乗客コンベアの踏段１に乗って昇降している乗客に対して、さらに、当該乗客コンベアの下階側であって、当該乗客コンベアの近傍の乗客等に対して、それぞれ注意を促す警告音声が発せられる。すなわち、外デッキカバー４の傾斜部の上面に手荷物等の物体を載置している乗客に対して、強く注意喚起がなされる。これにより、外デッキカバー４の傾斜部の上面に手荷物等の物体を載置している該当する乗客は、手荷物等の物体を自分の手元に引き戻すことを促される。したがって、本実施形態によれば、当該乗客の手荷物等の物体が外デッキカバー４の傾斜部の上面において滑り落ちることを未然に防止することができ、優れた安全性を確保することができ、信頼性の高い乗客コンベアを実施させることができる。
【００３２】
また、本実施形態は、発光装置７Ａを落下防止帯５Ａ内に設け、また発光装置７Ａ及び受光装置７Ｂを落下防止帯５Ｂ内に設け、さらに図示しない落下防止帯にあっても同様に発光装置７Ａ及び受光装置７Ｂのうちの該当するものをその落下防止帯内に設けたことから、落下防止帯５Ａ，５Ｂ等の内部を検出手段、すなわち発光装置７Ａ、受光装置７Ｂの配置スペースとして有効に活用できる。
【００３３】
また、本実施形態は、落下防止帯５Ａのカバー部材１２内に一対の穴Ｈのそれぞれに対応するように配置される図示しない透明カバーを設け、また落下防止帯５Ｂ等のカバー部材１３等内に一対ずつの穴Ｈのそれぞれに対応するように配置される透明カバー１４等を設けたことから、カバー１２，１３等内への塵埃等の侵入を防ぐことができ、該当する発光装置７Ａ及び受光装置７Ｂを塵埃等から保護することができ、安定した検出性能を確保することができる。
【００３４】
また、各落下防止帯５Ａ，５Ｂ等に備えられるベース部材１１及び外デッキカバー４のそれぞれに、発光装置７Ａ、受光装置７Ｂに接続されるコード２２Ａ，２２Ｂ等が挿通される穴１６，２１を設けたことから、発光装置７Ａ、受光装置７Ｂに接続されるコード２２Ａ，２２Ｂ等が落下防止帯５Ａ，５Ｂ等の外部に露出せず、コード２２Ａ，２２Ｂ等を保護することができるとともに、全体の美観を維持することができる。
【００３５】
なお、上記実施形態にあっては、外デッキカバー４の傾斜部の上面に手荷物等の物体が載置されることを検出する検出手段として発光装置７Ａと受光装置７Ｂの組み合わせを挙げたが、本発明は、このように構成することには限られない。外デッキカバー４の傾斜部の上面に載置される物体を検出し、コントローラ９に検出信号を出力可能なものであれば、どのような構成のものであってもよい。
【００３６】
また上記では、報知手段として警告音声を発する複数のスピーカ１０を設けた構成にしてあるが、これらのスピーカ１０に代えて赤色ランプを点灯させる手段等によって構成してもよい。また、このような赤色ランプを点灯させる手段等とともに、スピーカ１０を備えた構成にてもよい。
【００３７】
また上記では、該当する発光装置７Ａと受光装置７Ｂの組み合わせを、外デッキカバー４の傾斜部の上面において、発光装置７Ａを下方位置に配置し、受光装置７Ｂを発光装置７Ａよりも上方位置に配置してあるが、本発明は、このように構成することには限られない。発光装置７Ａを上方位置に配置し、受光装置７Ｂを発光装置７Ａよりも下方位置に配置した構成にしてもよい。
【００３８】
また上記では、落下防止帯５Ａ，５Ｂ等の内部に、発光装置７Ａ、受光装置７Ｂを設けた構成にしてあるが、落下防止帯５Ａ，５Ｂの外部に発光装置７Ａ、受光装置７Ｂを独立して設ける構成にしてもよい。
【００３９】
また上記では、落下防止帯５Ａを構成するカバー部材１２、落下防止帯５Ｂ等を構成するカバー部材１３等のそれぞれを同じ形状寸法に形成し、それぞれのカバー部材１２，１３等に発光装置７Ａから出射される光８を透過させる一対の穴Ｈと、発光装置７Ｂから出射させる光８を入射させる一対の穴Ｈとを設けた構成にしてあるが、本発明は、このように構成することには限られない。最下位置に配置される落下防止帯５Ａには発光装置７Ａから出射される光８を透過させる一対の穴Ｈだけを設け、最上位置に配置される落下防止帯には発光装置７Ａから出射された光８を入射する一対の穴Ｈだけを設ける構成にしてもよい。
【００４０】
また上記では、落下防止帯５Ａのベース部材１１に一対の発光装置７Ａを設けた構成にしてあるが、１つのベース部材１１に取り付けられる発光装置７Ａの設置数は一対に限定されない。発光装置７Ａを１つ設けた構成にしてもよい。同様に上記では、落下防止帯５Ｂのベース部材１１に一対の発光装置７Ａと一対の受光装置７Ｂを設けた構成にしてあるが、１つのベース部材１１に取り付けられる発光装置７Ａ及び受光装置７Ｂのそれぞれの設置数は、一対ずつに限定されない。発光装置７Ａと受光装置７Ｂをそれぞれ１つずつ設けた構成にしてもよい。
【符号の説明】
【００４１】
１    踏段
２    欄干
３    移動手摺
４    外デッキカバー
５Ａ  落下防止帯
５Ｂ  落下防止帯
７Ａ  発光装置（検出手段）
７Ｂ  受光装置（検出手段）
８    光
９    コントローラ
１０    スピーカ（報知手段）
１１    ベース部材
１２    カバー部材
１３    カバー部材
Ｈ      穴
【図１】
2011121717.tif 000003
【図２】
2011121717.tif 000004
【図３】
2011121717.tif 000005
【図４】
2011121717.tif 000006
【図５】
2011121717.tif 000007
【図６】
2011121717.tif 000008